(57)【要約】【課題】ユーザがドキュメント情報のページによる厚みを容易に認識できると同時に、ドキュメント情報のページによる厚みを示す画像情報の省スペース化を図ることを可能とした電子機器を提供すること。【解決手段】少なくとも文字や画像等のドキュメント情報を表示する画像表示部と、ドキュメント情報のページ情報と、画像表示部の前面に設けられたタッチパネルと、タッチパネルの押された位置を検出するタッチ検出手段と、タッチパネルの表面の特定領域を、変形可能な変位デバイスと、変位デバイスを特定領域以外と同じである第一の形状と、表面の特定領域以外と異なる第二の形状とに制御する制御手段とを備え、制御手段は、ページ情報に応じて第二の形状の高さを変位させる、又は、ページ情報に応じて第二の形状の特定領域の形状を変位させて第二の形状を任意の高さに変位させる、少なくとも一方の制御を行うことを特徴とする。【選択図】図２（ａ）
2017219981.tif 000002
【特許請求の範囲】
【請求項１】
少なくとも文字や画像のドキュメント情報を表示する画像表示部と、前記ドキュメント情報のページ情報と、前記画像表示部の前面に設けられたタッチパネルと、前記タッチパネルの押された位置を検出するタッチ検出手段と、前記タッチパネルの表面の特定領域を、変形可能な変位デバイスと、前記変位デバイスを特定領域以外と同じである第一の形状と、前記表面の特定領域以外と異なる第二の形状とに制御する制御手段とを備え、前記制御手段は、前記ページ情報に応じて前記第二の形状の高さを変位させる、又は、前記ページ情報に応じて前記第二の形状の特定領域の形状を変位させて前記第二の形状を任意の高さに変位させる、少なくとも一方の制御を行うことを特徴とする電子機器。
【請求項２】
前記第二の形状とは、前記タッチパネルの表面に対して凸となる形状であることを特徴とする請求項１に記載の電子機器。
【請求項３】
前記第二の形状が形成されている時、前記第二の形状を押下又は前記第二の形状近傍のタッチ検出手段をタッチ操作すると、前記ドキュメント情報のページ捲り動作が実行されることを特徴とする請求項１又は請求項２に記載の電子機器。
【請求項４】
前記第二の形状が形成されている時、前記第二の形状を押下した時の変位量、または加速度、速度、圧力の少なくとも１つの値に応じて、前記ドキュメント情報のページ捲り量を算出し、ページ捲り動作を実行することを特徴とする請求項１乃至請求項３の何れか一項に記載の電子機器。
【請求項５】
前記第二の形状が形成されている時、前記第二の形状を押下した時間に応じて、前記ドキュメント情報のページ捲り量を算出し、ページ捲り動作を実行することを特徴とする請求項１乃至請求項４の何れか一項に記載の電子機器。
【発明の詳細な説明】
【技術分野】
【０００１】
本発明は、電子機器に関し、特に表示画面上にタッチパネルが配置された電子機器に関する。
【背景技術】
【０００２】
従来、液晶ディスプレイ等のディスプレイ上に、タッチパネルが配置された表示装置では、電子書籍等のドキュメントを閲覧する機能が搭載されている。電子書籍は、ユーザに紙媒体の書籍に近い印象を与える為に、見開き表示の画像情報に様々な工夫がされている。
【０００３】
特許文献１には、電子書籍の見開きの画像情報に、実物の書籍の紙面による厚みの印象をユーザに与える為に、紙面を示す画像情報の両端に小口画像を表示して、書籍の紙面による厚みを表現した表示装置が開示されている。
【先行技術文献】
【特許文献】
【０００４】
【特許文献１】特開２０１４-１２７０８２号公報
【発明の概要】
【発明が解決しようとする課題】
【０００５】
しかしながら、上述の特許文献に開示された特許文献１では、ユーザがおおよそのページ位置を認識する時、実物の書籍のページによる厚みを示す立体感が不足している為、直感的にわかりづらい。又、画像表示部の画像情報の両端に小口画像を表示するスペースが必要である為、書籍の活字情報等のスペースが縮小されてしまう可能性がある。
【０００６】
そこで、本発明の目的は、ユーザがドキュメント情報のページによる厚みを容易に認識できると同時に、ドキュメント情報のページによる厚みを示す画像情報の省スペース化を図ることを可能とした電子機器を提供することにある。
【課題を解決するための手段】
【０００７】
上記の目的を達成するために、本発明に係る電子機器は、
少なくとも文字や画像等のドキュメント情報を表示する画像表示部と、前記ドキュメント情報のページ情報と、前記画像表示部の前面に設けられたタッチパネルと、前記タッチパネルの押された位置を検出するタッチ検出手段と、前記タッチパネルの表面の特定領域を、変形可能な変位デバイスと、前記変位デバイスを特定領域以外と同じである第一の形状と、前記表面の特定領域以外と異なる第二の形状とに制御する制御手段とを備え、前記制御手段は、前記ページ情報に応じて前記第二の形状の高さを変位させる、又は、前記ページ情報に応じて前記第二の形状の特定領域の形状を変位させて前記第二の形状を任意の高さに変位させる、少なくとも一方の制御を行うことを特徴とする。 
【発明の効果】
【０００８】
本発明によれば、ユーザがドキュメント情報のページによる厚みを容易に認識できると同時に、ドキュメント情報のページによる厚みを示す画像情報の省スペース化を図ることを可能にした電子機器を提供することができる。
【図面の簡単な説明】
【０００９】
【図１】本発明の実施例1と実施例２における電子機器のシステム構成図
【図２（ａ）】本発明の実施例1と実施例２における電子機器１の正面を示す外観図
【図２（ｂ）】本発明の実施例1と実施例２における電子機器１の下面を示す外観図
【図２（ｃ）】本発明の実施例1における処理フローＳ１０２で示す外観図
【図３】本発明の実施例1におけるシステム制御部７の処理フローを示すフローチャート
【図４（ａ）】本発明の実施例1における異なる実施形態を示す電子機器１の正面を示す外観図
【図４（ｂ）】本発明の実施例1における異なる実施形態を示す電子機器１の下面を示す外観図
【図５（ａ）】ユーザが変位デバイス４を押下している状態を示す図
【図５（ｂ）】変位デバイス４の変位量の検出値とページ捲り数との関係を示す図
【図６】本発明の実施例２におけるシステム制御部７の処理フローを示すフローチャート
【図７】本発明の実施例２における処理フローＳ２０６で示すページ捲り動作中のイメージ図
【図８（ａ）】本発明の異なる実施形態における見開き１ページ表示を示す外観図
【図８（ｂ）】本発明の異なる実施形態における電子機器１を９０度回転させた時を示す外観図
【発明を実施するための形態】
【００１０】
以下に、本発明の好ましい実施の形態を、添付の図面に基づいて詳細に説明する。
【００１１】
図１は本発明の実施形態にかかわる電子機器１を示すシステム構成図である。
【００１２】
［実施例１］
以下、図１乃至図４を参照して、本発明の第１の実施例について説明する。
【００１３】
本実施例では、電子機器１の一例として、電子ブックリーダ、スマートフォン、タブレット型コンピュータ等の携帯型情報機器に、ドキュメントの紙面情報を画像表示部２に表示した状態を例にとって説明する。本件で説明するドキュメントとは、電子書籍や、ワープロソフトや表計算ソフトや画像閲覧ソフトなどで閲覧可能な、文書やＰＤＦや画像ファイル等を示す。
【００１４】
まず図１に示す、本発明が適用された電子機器１のシステム構成図について説明する。また補足として電子機器１の正面からの外観図を図２（ａ）に示し、下方からの外観図を図２（ｂ）に示す。
【００１５】
図１に示されるように、電子機器１は、画像表示部２、記録媒体３、変位デバイス４、タッチ検出手段５、画像制御部６、全体の制御を司るシステム制御部７から構成される。画像表示部２は、電子機器１の外装面の一面に配設された液晶ディスプレイ（ＬＣＤ）等に、後述する画像制御部６から画像情報を取得して出力する。
【００１６】
記録媒体３は、電子機器１に着脱可能なメモリーカード等のリムーバブルな記録装置や、電子機器１に内蔵されたフラッシュメモリ等の不揮発性メモリや、ハードディスクドライブ等の磁気記憶装置である。また記録媒体３は、ドキュメントのアプリケーションが記憶されており、そのアプリケーションで使用可能なドキュメント情報も記憶されている。またドキュメント情報には、ページ情報３ａが付帯されている。変位デバイス４およびタッチ検出手段５について説明する。変位デバイス４とタッチ検出手段５は、公知である特表２０１１-５０８９３５号公報に記載された構成を用いればよい。
【００１７】
変位デバイス４とタッチ検出手段５は、透明又は半透明の材質であり、いずれも画像表示部２の表示面を覆うように略平行に配設される。画像表示部２の前面には変位デバイス４が任意の位置に配設されて、変位デバイス４の前面にはタッチ検出手段５が配設される。変位デバイス４は、システム制御部７の指令に基づき、内部の空洞部が拡張し、図２に示すように、表面の特定領域が変形することで、タッチ検出手段５の柔軟なシートが変形して、タッチ検出手段５上に、少なくとも１つ以上の凸面４ａや凸面４ｂを形成する。
【００１８】
変位デバイス４は、システム制御部７の各特定領域に対する指令信号に基づき、各特定領域が変形する。尚、実施例１の説明においては、各特定領域は、凸面４ａ、４ｂに示す２箇所である。システム制御部７の指令信号に基づき、各特定領域の凸面４ａ、４ｂがフラット面から凸面への変形と、凸面からフラット面への変形が可能である。また各特定領域は、凸面の最大高さをＨとすると、その段階値である、0.1Ｈ、0.2Ｈ、0.5Ｈ、0.7Ｈ等と、任意の高さに変形可能である。
【００１９】
タッチ検出手段５は、任意の位置に指が触れる等して押下されると、タッチした位置の座標が検出され、この座標情報がシステム制御部７に送信され、システム制御部７は所定の処理を実行する。システム制御部７は、その座標情報により、画像表示部２に表示された各種機能の内、何が選択されたかを判断し、選択に応じた機能を動作する。
【００２０】
タッチ検出手段５の材質は、弾性的な柔軟なシートであり、変位デバイス４の特定領域が変形して凸面を形成するに従い、シートも変形して凸面を形成する。タッチ検出手段５は、変位デバイス４を介して画像表示部２に重ねて配設され、タッチ検出手段５のパネル上の位置と画像表示部２の表示画面上の位置は一対一に対応する。
【００２１】
尚、画像表示部２と変位デバイス４とタッチ検出手段５は、単一構造として一体化しても良い。また変位デバイス４は上記公報（特表２０１１-５０８９３５）とは異なる構成を示す、特開２００９-１８１１９８号公報、特開２００６-２８５７８５号公報に記載された構成を用いてもよい。
【００２２】
画像制御部６は、記録媒体３に記憶されたドキュメントの画像情報や、撮影された画像情報、又はインターネット上から取得した画像情報等を取得し、取得した画像情報に対して画像処理を施す。画像処理部６の画像処理の内容を２点例示する。１点目は、画像制御部６は、変位デバイス４の特定領域が凸面を形成した時、ユーザの視点からは凸面周辺の画像は、歪曲により文字が歪む、又は色ずれが生じる等の問題が生じる。その問題を解決する為に、取得した画像情報を補正して、画像表示部２に出力する。
【００２３】
２点目は、画像制御部６は、変位デバイス４の特定領域の凸面をより強調表示するために、凸面部周辺の画像情報のみを異なる背景色に変更する、又はページ捲り時の紙面が変形した状態を画像情報として出力する。尚、画像制御部６は、必ずしも取得した画像情報に対して画像処理を施す必要はない。例えば、取得した画像情報を、そのまま画像表示部２に表示してもよい。
【００２４】
システム制御部７は、システム全体を制御し、ＣＰＵ、メモリ（ROM、RＡM）の機能を備える。システム制御部７は、タッチ検出手段５や不図示の電源スイッチや固定スイッチやタッチ検出手段５へのタッチ操作からの入力信号に応じて、メモリに記憶されたプログラムを実行して、電子機器１を構成する各部を制御し、所定の処理を行う。システム制御部７は、ユーザがドキュメント等のアプリケーションを選択して起動した後、そのアプリケーションに準じた操作方法へ切替する。例えば、ユーザがタッチ検出手段５をタッチ操作したときにドキュメント情報の拡大表示やページ捲り動作等を実行する。
【００２５】
次に、図３を参照して、ユーザに変位デバイス４の変形によりページによる厚みを認識させるための、システム制御部７の処理フローについて説明する。
【００２６】
Ｓ１０１は、処理フローの開始であり、電子機器１の不図示の電源スイッチをオンにして、記録媒体３に記憶されたドキュメントのアプリケーションを起動した状態である。Ｓ１０２へ移行する。
【００２７】
Ｓ１０２は、記録媒体３に記憶されたドキュメント情報とページ情報３ａを読込みする。その時、過去にドキュメント情報を閲覧した履歴があった場合は、その時の最終閲覧ページを画像表示部２に出力する。閲覧した履歴が無い場合は、１ページ目から画像表示部２に出力する。
【００２８】
図２（ｃ）は、Ｓ１０２における電子機器１の状態を示している。右側の見開きページ番号はｎであり、左側の見開きページ番号はn+1である。またドキュメント情報は左側の見開きページを捲ると読み進められていくとする。また図２（ｃ）に示す特定領域の２箇所は、丸枠の破線表示で示した箇所であり、フラット面４ａ、４ｂを形成している。
Ｓ１０３へ移行する。
【００２９】
Ｓ１０３は、システム制御部７に格納された演算部より、ページ情報３ａに応じて、変位デバイス４をフラット面から凸面へ変化させる高さを算出する。図２（ｂ）に示す、変位デバイス４の凸面４ａの高さは後述する式（１）に基づき算出されて、凸面４ｂの高さは後述する式（２）に基づき算出される。
【００３０】
演算部の算出方法を説明する為に、複数のパラメータを用いて説明する。パラメータは、右側の見開きページ番号ｎと、左側の見開きページ番号ｎ+１と、総ページ数Ｎと、変位デバイス４の凸面の最大高さＨである。また算出された出力値は、図２（ｂ）に示す右側の見開きページに設けられた凸面４ａの高さＨRと、左側の見開きページに設けられた凸面４ｂの高さＨLとする。これより、演算部の算出方法を式１と式２に示す。
【００３１】
ＨR＝ｎ×Ｈ÷Ｎ                  ―（式１）
ＨL＝（Ｎ−（（ｎ+1）−１））×Ｈ÷Ｎ         ―（式２）  
これより、右側の見開きページ番号がn=1、総ページ数Ｎ＝１００の場合、
ＨR＝0.01Ｈ、ＨL＝0.99Ｈ
と演算される。
【００３２】
また右側の見開きページ番号がn=３０、総ページ数Ｎ＝１００の場合、
ＨR＝0.30Ｈ、ＨL＝0.70Ｈ
と演算される。
【００３３】
尚、上記式（１）と式（２）は、演算部の算出方法の一例であり、異なる算出方法を用いてもよい。Ｓ１０４へ移行する。
【００３４】
Ｓ１０４は、Ｓ１０３で算出された出力値ＨRとＨLに基づき、変位デバイス４をフラット面から凸面４ａ、４ｂを形成するための指令を送信する。
【００３５】
Ｓ１０５は、変位デバイス４の少なくとも１つの特定領域が、凸面を形成した状態である。この状態から、ユーザのタッチ検出手段５へのタッチ操作によりページ情報３ａが変更された場合は、Ｓ１０２からＳ１０４の処理を繰返せばよい。
【００３６】
尚、上述した実施例１の形態では、特定領域の形状は、丸形状で示していた。異なる実施形態として、丸形状とは異なる、正方形形状、長方形形状、三角形状、樽型形状等でもよい。
【００３７】
尚、上述した実施形態のＳ１０３とＳ１０４では、変位デバイス４の特定領域の高さを算出し、凸面４ａ、４ｂを形成していた。異なる実施形態として、特定領域の高さを算出するのではなく、図４（ａ）、（ｂ）に示すように、Ｓ１０３では、ページ情報に基づき、変位デバイス４の凸面４ｃ、４ｄの大きさや面積を算出して、大きさや面積を可変した凸面４ｃ、４ｄを形成してもよい。この時、特定領域の高さは任意の高さとしてよい。
【００３８】
上記実施例１の効果として、ユーザがドキュメント情報のページによる厚みを容易に認識できると同時に、ドキュメント情報のページによる厚みを示す画像情報の省スペース化を図ることができる。
【００３９】
［実施例２］
以下、図５から図７を参照して、本発明の第２の実施例について説明する。
【００４０】
上述した実施例１と同じ部分は省略する。尚、実施例２では、実施例１で変位デバイス４が凸面を形成した時、ユーザが凸面を押下することでページ捲り動作が実行される時のフローについて説明する。
【００４１】
凸面を形成した変位デバイス４と凸面を形成したタッチ検出手段５の領域に対して、ユーザがその凸面を押下して変形させると、変位デバイス４は変位量を検出して、検出値をシステム制御部７へ送信する。ユーザが変位デバイス４を押下している状態を図５（ａ）に示す。システム制御部７は、変位デバイス４の変位量の検出値を取得すると、その検出値に応じたページ数を算出して、次にページ捲り動作を実行して、画像表示部２に表示されたドキュメント情報のページが切替る。その検出値とページ捲り数との関係を図５（ｂ）に示す。
【００４２】
図５（ｂ）に示された、ＨR から０は、右側の見開き変位デバイス４の変位量を例示している。ｃａｓｅ１、２は、単位時間当たりにおける、検出値とページ捲り数の設定パターンを示す。ｃａｓｅ１では、タッチ検出手段１０へのタッチを検出して、変位デバイス９の変位量がＨRであった場合は、２ページ分のページ捲りを実行する。変位量が０．９ＨRから０．６ＨRは４ページ分、変位量が０．５ＨRから０．２ＨRは６ページ分、変位量が０．１ＨRから０は８ページ分と、変位量に略比例してページ捲り量を増大させる。
【００４３】
ｃａｓｅ２では、タッチ検出手段１０へのタッチを検出して、変位デバイス９の変位量がＨRであった場合は、ページ捲りは実行しない。変位量が０．９ＨRから０．８ＨRは２ページ分、変位量が０．７ＨRから０．６ＨRは４ページ分、変位量が０．５ＨRから０．４ＨRは８ページ分と、変位量に略二乗してページ捲り量を増大させる。
【００４４】
尚、ｃａｓｅ１とｃａｓｅ２で示す変位量は、単位時間当たりの変位量であり、ユーザが変位デバイス４を押下している時間が長くなると、ページ捲り量は更に増大してもよい。尚、ｃａｓｅ１とｃａｓｅ２で説明した変位デバイス４の変位量ではなくても、変位デバイス４に作用した圧力や速度や加速度等の１つの値に応じて、ページ捲り量を検出して、ページ捲り動作を実行してもよい。尚、これら変位デバイス９の変位量とページ捲り量との関係と、単位時間は、ユーザが適宜設定してもよい。
【００４５】
図６を参照して、実施例２における、システム制御部７の処理フローについて説明する。
【００４６】
Ｓ２０１は、実施例１の処理フローのＳ１０５の状態である。変位デバイス４の少なくとも１つの特定領域が、凸面を形成した状態である。Ｓ２０２へ移行する。
【００４７】
Ｓ２０２は、ユーザが凸面を形成したタッチ検出手段５の領域に対してタッチ操作したかを判定する。タッチ操作した場合、変位デバイス４の変位量を検出して、検出値をシステム制御部７へ送信する。Ｓ２０３へ移行する。タッチ操作していない場合、Ｓ２０８へ移行する。
【００４８】
Ｓ２０３は、システム制御部７は、検出値を取得する。Ｓ２０４へ移行する。
【００４９】
Ｓ２０４は、実施例２の制御フローを処理する時間を計測するタイマーをリセットする。Ｓ２０５へ移行する。
【００５０】
Ｓ２０５は、検出値に応じたページ捲り量を算出する。Ｓ２０６へ移行する。
【００５１】
Ｓ２０６は、Ｓ２０５で算出された値に基づき、ページ捲り動作を指令し、画像表示部２に表示されたドキュメント情報のページを切換える指令を送信する。ページ捲り動作中のイメージ図を図７に示す。Ｓ２０７へ移行する。
【００５２】
Ｓ２０７は、実施例２の制御フローを処理する時間を計測するタイマーが、任意の時間を経過したかを判断する。任意の時間を経過したら、Ｓ２０２へ移行する。
【００５３】
Ｓ２０８は、ユーザが凸面を形成したタッチ検出手段５の領域に対してタッチしていない状態であり、Ｓ２０１へ移行し同様の処理を繰り返す。
【００５４】
上記実施例２の効果について説明する。公知の技術では、複数のページ捲りをする時、画像表示部２に表示されたスクロールバーを左右上下にスクロールする等を行っていた。その為に、まずユーザは画像表示部２を視認して、次にスクロールバーを認識し、次にスクロールバー以外をタッチ操作して誤作動しないように慎重にスクロールバーをタッチして、次に左右上下方向等にスクロールバーをスライドしていた。
【００５５】
上記実施例２では、凸面がタッチ検出手段４より突出していることより、画像表示部２を見た瞬間に、ページ捲りを実行するための凸面を認識することができ、また凸面を押下するだけで、ページ捲りを実行できる。これによりページ捲りの操作性が容易になると同時に、時間短縮が可能となる。尚、上述した実施形態では、見開き２ページ表示の場合の処理方法を説明した。異なる実施形態として、見開き１ページ表示でも処理可能である。
【００５６】
図８（ａ）に示す、見開き１ページ表示の場合においても、実施例１とほぼ同一の処理を行って、変位デバイス４をフラット面から凸面４ｅ、４ｆへ変化させればよい。図８（ａ）に示す、見開き１ページ表示の場合の演算部の算出方法について補足説明する。パラメータは、ページ番号はn、総ページ数Ｎと、変位デバイス４の凸面の最大高さＨである。出力値は、ページ右側に設けられた凸面４ｅの高さＨR2と、ページ左側に設けられた凸面４ｆの高さＨL2とする。これより、高さＨR2とＨL2は、
ＨR2＝ｎ×Ｈ÷Ｎ                ―（式３）
ＨL2＝（Ｎ−ｎ）×Ｈ÷Ｎ         ―（式４）
とすればよい。
【００５７】
尚、上述した実施形態では、電子機器１が固定されている状態について説明していた。異なる実施形態として、電子機器１を回転するに伴い、画像表示部２に表示されるドキュメント情報が回転された場合の処理方法について説明する。電子機器１が、図８（ａ）に示す状態に固定されていた場合は、変位デバイス４の各特定領域４ｅ、４ｆを本フローの制御対象として、各特定領域４ｇ、４ｈは非制御対象として、常にフラット面を形成する。一方、電子機器１をＣＣＷ方向に90度回転した図８（ｂ）に示す状態に固定された場合は、変位デバイス４の各特定領域４ｆ、４ｈを本フローの制御対象として、各特定領域４ｅ、４ｇは非制御対象として常にフラット面を形成すればよい。
【００５８】
尚、上述した実施形態では、本発明を撮像装置１に適用した場合を例にして説明した。本発明でいう電子機器１とは、カメラ、携帯電話、タブレット機器、PDA、ゲーム機器、音楽プレーヤ、パーソナルコンピュータ等と、タッチパネルと撮像レンズを含む製品に適用可能である。
【００５９】
以上、本発明の好ましい実施形態について説明したが、本発明はこれらの実施形態に限定されず、その要旨の範囲内で種々の変形及び変更が可能である。
【符号の説明】
【００６０】
２  画像表示部、３ａ  ページ情報、４  変位デバイス、５  タッチ検出手段、
７  システム制御部
【図１】
2017219981.tif 000003
【図２（ａ）】
2017219981.tif 000004
【図２（ｂ）】
2017219981.tif 000005
【図２（ｃ）】
2017219981.tif 000006
【図３】
2017219981.tif 000007
【図４（ａ）】
2017219981.tif 000008
【図４（ｂ）】
2017219981.tif 000009
【図５（ａ）】
2017219981.tif 000010
【図５（ｂ）】
2017219981.tif 000011
【図６】
2017219981.tif 000012
【図７】
2017219981.tif 000013
【図８（ａ）】
2017219981.tif 000014
【図８（ｂ）】
2017219981.tif 000015